【手続補正書】
【提出日】平成18年10月31日(2006.10.31)
【手続補正１】
【補正対象書類名】特許請求の範囲
【補正対象項目名】全文
【補正方法】変更
【補正の内容】
【特許請求の範囲】
【請求項１】
燃焼用サンプルを受け取るための燃焼炉と、
燃焼の完了を確認するための、前記燃焼炉から排出された燃焼副生成物の流路に連結された燃焼検出器と、
燃焼が完了するまで燃焼副生成物を受け取るための、燃焼副生成物の流路に連結された可変容量型バラストチャンバであって、可動ピストンと前記ピストンの位置を検出するためのセンサとを有する可変容量型バラストチャンバと、
前記ピストンの位置を検出するための前記センサに連結されており、前記ピストンの位置に基づいて燃焼副生成物のガス濃度のための体積補正係数を計算する制御装置とを有するアナライザ。
【請求項２】
前記可変容量型バラストチャンバは円筒状容器を有し、前記センサは、前記ピストンにケーブルによって連結されているロータリー・エンコーダである、請求項１に記載のアナライザ。
【請求項３】
前記円筒状容器は、その一端に設置されたサンプルガス注入口及びサンプルガス排出口と、前記注入口に連結された第一の制御バルブと、前記排出口に連結された第二の制御バルブとを有し、前記可変容量型バラストチャンバへのサンプルガスの入出を制御するようになっている、請求項２に記載のアナライザ。
【請求項４】
前記円筒状容器は、前記一端の反対側の端において前記ガス注入口と反対側の前記ピストンの一側面上に設置された流体注入口と、加圧流体の供給源に連結された流体制御バルブとを有し、前記ピストンを選択的に移動させて、サンプルガスを前記可変容量型バラストチャンバから前記サンプルガス排出口を経由して排出させるようになっている、請求項３に記載のアナライザ。
【請求項５】
前記第一の制御バルブ、第二の制御バルブ及び流体制御バルブはそれぞれ、前記各バルブを順次作動させてサンプルガスを前記可変容量型バラストチャンバ内に導入する前記制御装置に連結されており、これによって、前記サンプルガスが前記可変容量型バラストチャンバ内で平衡となった後、前記可変容量型バラストチャンバからサンプルガスが排出される、請求項４に記載のアナライザ。
【請求項６】
サンプル中の元素の濃度を測定する方法であって、
サンプルを燃焼する工程と、
燃焼副生成物ガスを可変容量型バラストチャンバ内に回収する工程と、
燃焼の完了を検出する工程と、
燃焼完了時に前記可変容量型バラストチャンバによって回収されたガスの体積を測定する工程とを含む、方法。
【請求項７】
前記回収工程は、可動ピストンを有する容器のサンプルガス注入口に燃焼副生成物ガスを導入し、前記検出工程によって燃焼の完了が確認されるまで前記ピストンが燃焼副生成物ガスの導入に呼応して移動するようにすることを含む、請求項６に記載の方法。
【請求項８】
前記回収工程は更に、前記サンプルガス注入口に連結された注入口バルブと前記容器のサンプルガス排出口に連結された排出口バルブとを順次作動させて、燃焼副生成物ガスの導入及び捕獲を行うことを含む、請求項７に記載の方法。
【請求項９】
前記回収工程は更に、前記容器の前記サンプルガス排出口と反対側の前記ピストンの一側面に設置された流体注入口に連結された制御バルブを作動させて、前記ピストンへ加圧流体を供給し、燃焼副生成物ガスを前記容器から排出することを含む、請求項８に記載の方法。
【請求項１０】
前記回収工程は更に、前記燃焼副生成物ガスを前記容器から排出する前に、前記燃焼副生成物ガスが平衡となるのに十分な時間を経過させることを含む、請求項９に記載の方法。
【請求項１１】
前記検出工程は、前記容器への導入前に前記燃焼副生成物ガスの流れ（stream）中のＣＯ２を検出することを含む、請求項１０に記載の方法。
【請求項１２】
前記測定工程は、前記ピストンの位置を検出することを含む、請求項６に記載の方法。
【請求項１３】
前記検出工程は、前記ピストンをケーブルによってエンコーダに連結して、前記ピストンが移動する際に、回収された燃焼副生成物ガスの体積に直接対応するピストン位置に関する情報が前記エンコーダによって得られるようにすることを含む、請求項１２に記載の方法。
【請求項１４】
更に、次式：ＶＣＦ＝Ｖｄ／Ｖｓ（式中、Ｖｄはピストンの移動に基づき燃焼後に検出される体積であり、Ｖｓは既知の標準条件下での体積である）によって、元素の濃度を測定するための体積補正係数を提供する、請求項６に記載の方法。
【請求項１５】
更に、前記可変容量型バラストチャンバ内に回収された燃焼副生成物の圧力を検出することを含む、請求項６に記載の方法。
【請求項１６】
更に、次式：ＰＣＦ＝Ｐｄ／Ｐｓ（式中、Ｐｄは燃焼後に検出される圧力であり、Ｐｓは既知の標準条件下での圧力である）によって、元素の濃度を測定するための圧力補正係数を提供する、請求項１５に記載の方法。
【請求項１７】
可変容量型バラストチャンバであって、
内壁と前記内壁でシールされるように設置された可動ピストンとを有する容器と、
前記ピストンの位置を検出するために前記ピストンに連結されたセンサとを有する該バラストチャンバにおいて、
前記容器は前記ピストンの一側面にサンプルガス注入口を有し、前記注入口は注入口バルブに連結されており、また、前記容器は前記ピストンの前記一側面にサンプルガス排出口を有し、前記サンプルガス排出口は排出口制御バルブに連結されており、更に前記容器は、前記ピストンの反対側面に設置された、前記ピストンを移動させるための加圧流体を受ける注入口を有し、前記ピストンの前記反対側面が加圧された際に前記サンプルガス排出口を経由して回収ガスが放出されるようになっている、燃焼副生成物を回収するための可変容量型バラストチャンバ。
【請求項１８】
前記容器は円筒状であって、その両端にシール板を有し、前記サンプルガス注入口及び前記サンプルガス排出口はそれぞれ、前記シール板の一方に形成されている、請求項１７に記載の可変容量型バラストチャンバ。
【請求項１９】
前記センサは、前記ピストンにケーブルによって連結されたロータリー・エンコーダである、請求項１８に記載の可変容量型バラストチャンバ。
【請求項２０】
前記ロータリー・エンコーダは前記シール板の他方に設置されている、請求項１９に記載の可変容量型バラストチャンバ。
【請求項２１】
前記ロータリー・エンコーダは、前記ピストンに向かい合う前記シール板の前記他方の一側面に設置されており、前記シール板の前記他方は、前記ケーブルを前記ロータリー・エンコーダに連結させるための開口部を有し、更に、前記ロータリー・エンコーダ上にシール可能に設置されたシールキャップを有しており、前記加圧流体用の前記注入口は前記シールキャップに延在している、請求項２０に記載の可変容量型バラストチャンバ。
【請求項２２】
元素アナライザであって、
燃焼用有機サンプルを受け取るための燃焼炉と、
前記燃焼炉から排出される燃焼副生成物を受け、燃焼の完了を確認するための、前記炉に連結された燃焼検出器と、
燃焼副生成物を受け取るための、可動ピストンを有し前記燃焼炉に連結された可変容量型バラストチャンバと、
燃焼の完了を検出し、燃焼完了の際に前記可変容量型バラストチャンバに燃焼副生成物を封じ込めるための、前記燃焼検出器に連結された制御装置とを有する、少なくとも炭素及び窒素の濃度を測定するための元素アナライザ。
【請求項２３】
前記可変容量型バラストチャンバは、前記ピストンの一側面にサンプルガス注入口とサンプルガス排出口とを有し、前記制御装置は、前記可変容量型バラストチャンバに燃焼副生成物を選択的に捕獲するための、前記注入口及び前記排出口に連結されたバルブを有する、請求項２２に記載のアナライザ。
【請求項２４】
前記燃焼検出器はＣＯ２を検出する、請求項１又は２２に記載のアナライザ。
【請求項２５】
前記燃焼検出器はＨ２Ｏを検出する、請求項１又は２２に記載のアナライザ。
【請求項２６】
前記ピストンの位置を検出するためのセンサを更に有し、前記制御装置は、前記ピストンの位置に基づいて燃焼副生成物のガス濃度のための体積補正係数を計算するためのＣＰＵを有する、請求項２２に記載のアナライザ。
【請求項２７】
前記可変容量型バラストチャンバは、前記ピストンの一側面に設置されたサンプルガス注入口及びサンプルガス排出口と、前記注入口に連結された注入口バルブと、前記排出口に連結された排出口バルブとを有する円筒状容器から成る、請求項２６に記載のアナライザ。
【請求項２８】
前記円筒状容器は、前記ピストンの反対側面に設置された流体注入口と、前記ピストンを選択的に移動させ、サンプルガスを前記可変容量型バラストチャンバから前記サンプルガス排出口を経由させて排出するための加圧流体の供給源に連結された流体制御バルブとを有する、請求項２７に記載のアナライザ。
【請求項２９】
前記バルブはそれぞれ、前記各バルブを順次作動させてサンプルガスを前記可変容量型バラストチャンバ内に導入するための前記ＣＰＵに連結されており、これによって、前記サンプルガスが前記可変容量型バラストチャンバ内で平衡となった後、前記可変容量型バラストチャンバからサンプルガスが排出される、請求項２８に記載のアナライザ。
【請求項３０】
前記可変容量型バラストチャンバの前記ガス排出口にＨ２Ｏセンサが連結されており、分析時にＨ２の濃度を検出する、請求項５又は２８に記載のアナライザ。
【請求項３１】
前記可変容量型バラストチャンバの前記ガス排出口にＣＯ２センサが連結されており、分析時にＣの濃度を検出する、請求項５又は２８に記載のアナライザ。